(57)【要約】【課題】  本発明は、床面に、キャスター走行に適する台板を設置することで走行が容易に行なえるキャスター付ベッドの平行移動器具を提供することを目的とするものである。【解決手段】  本発明の平行移動器具１は、キャスターにかかるベッドの荷重に対して耐久性・強靭性を有する金属板により形成されるものであり、キャスターが停止した状態から平行移動する距離長さを有するとともにキャスター幅を有する板状のキャスター走行用ガイド板２と、キャスター走行用ガイド板２の周囲に立設されるキャスター走行用案内板３より構成される。【選択図】        図１
2005095251.tif 000002
【特許請求の範囲】
【請求項１】
壁際に設置されたキャスター付きベッドを片側方向へ平行移動可能とするために床面上に載置される平行移動器具にあって、
前記キャスター付きベッドのキャスターが載置される本体基板と平行移動距離の長さを有する延長基板とから構成されるキャスター走行用ガイド板と、
該キャスター走行用ガイド板の少なくとも本体基板の長手方向の両側に沿って立設されるキャスター走行用案内板を備える
ことを特徴とするキャスター付ベッドの平行移動器具。
【請求項２】
前記キャスター走行用ガイド板の延長基板が少なくとも１以上に折曲可能に連結される
ことを特徴とする請求項１記載のキャスター付ベッドの平行移動器具。
【請求項３】
前記キャスター走行用ガイド板の本体基板と延長基板とを連結自在とした
ことを特徴とする請求項１記載のキャスター付ベッドの平行移動器具。
【請求項４】
前記キャスター走行用ガイド板の本体基板の前部には、その走行路を開閉自在とする前部キャスターストッパー部および前記本体基板の後部には前後動調整自在とする後部キャスターストップ部を設ける
ことを特徴とする請求項１、２又は３記載のキャスター付ベッドの平行移動器具。
【請求項５】
前記キャスター走行用案内板の幅を自在に調整できる機構とした
ことを特徴とする請求項１、２、３又は４記載のキャスター付ベッドの平行移動器具。
【発明の詳細な説明】
【技術分野】
【０００１】
本発明は、キャスター付ベッドの平行移動器具に関する。詳しくはベッドの側面を壁に接するように配置される介護用ベッドを片側方向へ平行移動可能とするキャスター付きベッドの平行移動器具に係るものである。
【背景技術】
【０００２】
従来の介護用ベッドの脚部には次の三種類がある。第一に独立した４本の脚をベッドの４隅に備えてなるものであり、第二にベッドの頭側および足側の両端に側板としての板脚を備えてなるものであり、これらのベッドは床面に固定的に捉え置かれるのでベッドを移動させる機能は備えていない。
【０００３】
また、第三のベッドとして前記これらの脚部にキャスターを設けて移動可能とした介護用ベッドがある。このベッドの脚部に設けられるキャスターとして、図８に示すように、基体１０１に対して回動する旋回台１０２の上部に係止アーム１０３を軸着する。この係止アーム１０３の前部に、基体１０１側の孔状の係止受け部１０４に係合するピンからなる係止部１０５を設ける。車軸１０６に支持した操作アーム１０７をリンクアーム１０８によって係止アーム１０３に連動させる。操作アーム１０７は、車軸１０６を挟む両側に係止用操作部１０８および係止解除用操作部１０９を有する。係止用操作部１０８を踏むなどして押し上げると、係止部１０５が上昇して係止受け部１０４に係合する。係止解除用操作部１０９を踏むなどして押し下げると、係止部１０５が下降して係止受け部１０４から外れる構成とされるものである（例えば、引用文献１参照。）。
【０００４】
【特許文献１】特開平１１−３４６０４号（要約書、第１図）
【発明の開示】
【発明が解決しようとする課題】
【０００５】
しかし、日本の一般的な住宅事情により、住宅では介護用ベッドの多くはそのベットの側面が壁に接して配置されているので、壁側からの介護が必要な場合はベッドを片側方向へ平行移動しなければならないが、前述の第１および第二のベッド脚のどれもがベッドの移動は不可能または困難である。
【０００６】
そこで第三のベッドとしての前記構成のキャスターでは車輪を任意の角度（平行移動できる角度）で固定し、ベッドを手前側へ引くことにより壁際から平行移動することができるものであるが、家屋内で設置される介護用ベッドは畳上や敷物などの床面上に置かれており、畳上や敷物上にキャスターがめり込みなどしてベッドの移動が困難な場合を多い。
【０００７】
また、キャスター付きベッドでは、長期間によるベッド荷重による畳や床面へのめり込みにより畳や床が復元できずにキズとして残る場合が多く、実際の利用者宅では敬遠されがちである。
【０００８】
本発明は、以上の点に鑑みて創案されたものであって、床面に、キャスター走行に適する台板を設置することで走行が容易に行なえるキャスター付ベッドの平行移動器具を提供することを目的とするものである。
【課題を解決するための手段】
【０００９】
上記の目的を達成するために、本発明に係るキャスター付きベッドの平行移動器具は、壁際に設置されたキャスター付きベッドを片側方向へ平行移動可能とするために床面上に載置される平行移動器具にあって、前記キャスター付きベッドのキャスターが載置される本体基板と平行移動距離の長さを有する延長基板とから構成されるキャスター走行用ガイド板と、該キャスター走行用ガイド板の少なくとも本体基板の長手方向の両側に沿って立設されるキャスター走行用案内板を備える。
【００１０】
ここで、キャスター付きベッドの平行移動を必要とする床面上に、キャスター走行用ガイド板を載置することにより、キャスターが床面にのめり込むことなく、円滑な走行が可能となる。
【００１１】
また、キャスター走行用ガイド板の長手方向の両側端に沿って立設するキャスター走行用案内板によってキャスターがキャスター走行用ガイド板から脱輪することなくベッドの平行移動が可能となる。
【発明の効果】
【００１２】
以上の構成より成る本発明では、床面にキャスター走行用ガイド板を載置することにより、畳や敷物などの床面の材質に関わらず介護用ベッドの平行移動が容易であるという効果がある。
【００１３】
また、キャスター走行用ガイド板を中途より分割状、あるいは折り曲げ可能な機構とすることにより介護用ベッドを壁際に設置している場合には、ベッドより突出している部分を取り外す、又は折り曲げることによって介護に支障をきたすことが無いという効果がある。
【００１４】
更に、キャスター走行用案内板の幅を自在に調整できる機構とすることにより、既存の介護用ベッドのキャスター幅に合わせることが可能となり、キャスターが蛇行することなく、確実に介護用ベッドの平行移動が可能となるという効果がある。
【００１５】
このように、これら本発明による効果は、壁に接して設置されたキャスター付きベッドの片側方向への平行移動及び復元を安全かつ簡便なものとするので、介護に必要な壁側スペースの必要即応な確保を容易とし、介護用ベッド及びベッド周辺の衛生管理や居室の環境作りに大いに寄与するとともに、介護者の労力を大幅に軽減するなどの効果がある。
【発明を実施するための最良の形態】
【００１６】
以下、本発明の実施の形態を図面を参酌しながら説明し、本発明の理解に供する。
【００１７】
図１に本発明を適用したキャスター付きベッドの平行移動器具の一例を示す。ここで示す平行移動器具１は、キャスターにかかるベッドの荷重に対して耐久性・強靭性を有する金属板により形成されるものであり、キャスターが停止した状態から平行移動する距離長さを有するとともにキャスター幅を有する板状のキャスター走行用ガイド板２と、キャスター走行用ガイド板２の周囲に立設されるキャスター走行用案内板３より構成される。
【００１８】
ここで、前記キャスター走行用ガイド板２は、ベッドの一側に設けられる２個のキャスターＡが載置される長さを有する本体基板４とベッドが平行移動する距離長さの延長基板５とから構成されるものである。
【００１９】
そこで前記キャスター走行用ガイド板２の本体基板４の周囲に沿ってキャスター走行用案内板３が立設されるものであり、このキャスター走行用案内板３はキャスターＡがキャスター走行用ガイド板２より脱輪しない高さとする。
更に前記本体基板４の前端には、キャスターＡの走行を停止させるための前部キャスターストッパー部６を設けるものであり、この前部キャスターストッパー部６は、その一端が本体基板４の開口端に枢支ピン７によって連結枢支され、この枢支ピン７を支点として左右方向へ回動させることで前記本体基板４の開口端を開閉自在な機構とするものである。
従って前記前部キャスターストッパー部６によってキャスターをロックしない場合やキャスターにロック機能が備わっていない場合であってもベッドが勝手に移動しないものとする。
【００２０】
次に図２は本発明を適用したキャスター付きベッドの平行移動器具の延長基板の他の例を示す説明図である。キャスターが移動するためのキャスター走行用ガイド板２の延長基板５を、複数に分割し、これらを蝶番などの連結部材８によって回動自在な状態で連結枢支する構成とするものである。
また、本体基板４の前端には、図１において詳述したようにキャスターＡの走行を停止させるための前部キャスターストッパー部６を設けるものである。
【００２１】
そして図３に示すように本体基板１の後部側には、キャスター間の距離に応じて前後方向への移動調整を可能とした後部キャスターストップ部９を設けるものであり、この後部キャスターストップ部９は、直角状に折曲形成された基板１０の前後方向に長穴１１が開設され、本体基板４の後部に設けられるネジ穴１２と長穴１１とを重ねた状態で締結用ネジ１３によって螺着することで前後動調整自在な機構とするものである。
【００２２】
更に図４に示すように、キャスター走行用ガイド板２の本体基板４の長手方向の一端側に沿ってキャスター走行用案内板３を立設する。この本体基板４の長手方向の他端側に本体基板４の幅方向へ移動調整可能とした可動式キャスター走行用案内板３Ａを設けるものである。
【００２３】
この可動式キャスター走行用案内板３Ａは、断面Ｌ字形状に折り曲げ形成され、その基板９の適宜個所に長穴１１Ａが幅方向へ貫設されるものである。そして本体基板４に設けられるネジ穴１２Ａと長穴１１Ａを重ねた状態で締結用ネジ１３Ａによって締結することで可動式キャスター走行用案内板３Ａを立設固定するものである。
【００２４】
従って可動式キャスター走行用案内板３Ａの調整を行なう場合には、まず締結用ネジ１３Ａを緩めてキャスターＡの走行幅に合わせて可動式キャスター走行用案内板３Ａの幅方向へ調整を行う。そして可動式キャスター走行用案内板３Ａの位置を決めた状態で締結用ネジ１３Ａによる締結によって可動式キャスター走行用案内板３Ａを立設固定するものである。
【００２５】
このように図５に示すように、ベッドを壁際に配置している場合には、キャスター走行用ガイド板２の延長基板５が通行や介護の邪魔になることから、通常は延長基板５を折り曲げておき、ベッドを平行移動させる場合には、延長基板５を手前側に引き伸ばすように延伸させる構成とする。
また、前部キャスターストップ部６、後部キャスターストップ部９、キャスター走行用案内板３および可動式キャスター走行用案内板３Ａによってキャスターの四方が固定されることとなる。
【００２６】
また、本発明を適用したキャスター付きベッドの平行移動器具の延長基板の他の例を示す説明図として図６に示すように、キャスター走行用ガイド板２の本体基板４と延長基板５を分割状とし、更に本体基板４の先端側に突起部１４を設け、延長基板５の基端側に前記突起部１４が挿通できる穴径を有する連結用穴１５が貫設された構成とするものである。
【００２７】
そして本体基板４の前端には、図１において詳述したようにキャスターＡの走行を停止させるための前部キャスターストッパー部６を設けるものであり、更に本体基板４の後部には図３において詳述したように前後移動調整可能とした後部キャスターストップ部９および図４において詳述したように可動式キャスター走行用案内板３Ａを設けた構成とするものである。
【００２８】
また、延長基板５は、その長手方向の一端側に沿ってキャスター走行用案内板３を立設する。この本体基板４の長手方向の他端側に本体基板４の幅方向へ移動調整可能とした可動式キャスター走行用案内板３Ａを設けるものである。そして延長基板５の先端にはキャスター係止板１６を設けた構成とするものである。
【００２９】
従ってベッドを壁際に配置している場合には、キャスター走行用ガイド板２の延長基板５が通行や介護の邪魔になることから、通常は延長基板５を本体基板４より取り外しておき、ベッドを平行移動させる場合には、延長基板５を本体基板４に連結する構成とする。
【００３０】
なお、延長基板の構成は必ずしも折り曲げ式や着脱式である必要性な無く、ベッドを壁際に配置している場合に、介護や通行の邪魔にならないものであればいかなる構成のものであっても良い。
【００３１】
なお、可動式キャスター走行用案内板は必ずしも前述した構成とする必要性は無く、幅方向への移動調整が行なえるものであればいかなるものであっても良い。また、可動式キャスター走行用案内板は必ずしも一側のみに設けられる必要性は無く、両側に設けても良い。更に可動式キャスター走行用案内板は前述した各実施例における平行移動器具に適用されるのは勿論のことである。
【００３２】
また、可動式キャスター走行用案内板あるいは、前部キャスターストッパー部および後部キャスターストッパー部は必ずしもキャスター走行用ガイド板に設ける必要性はなく、ロック機構およびキャスターの走行角度調整機構を備えたものであれば良いが、ベッドの平行移動の際にキャスターのロックの解除又はロックをする手間、あるいはキャスターの走行角度の設定などの手間を考えた場合には、可動式キャスター走行用案内板あるいは、前部キャスターストッパー部および後部キャスターストッパー部を設け、常にキャスターのロックを解除し、キャスターの角度をフリーとした方が手間を要せずにベッドの平行移動が行なえるものである。
【００３３】
以上の構成より成る本発明では図７に示すように、まずキャスター付き介護用ベッドＢの壁際への位置を確定する。そしてキャスター付き介護用ベッドＢの下部の四隅に装着される各キャスターＡが位置することとなる床面Ｃ上に本発明の平行移動器具１を載置し、キャスター走行用ガイド板２の本体基板４に設けられる可動式キャスター走行用案内板３Ａによる幅調整および前部キャスターストッパー部６および後部キャスターストッパー部９によりキャスターＡを四方より固定する。
【００３４】
そして介護によりキャスター付き介護用ベッドＢを壁際より手前側へ平行移動する必要が生じた場合には、本体基板４先端に延長基板５を取り付ける、あるいは本体基板４先端に折り畳んだ状態の延長基板５を引き伸ばし、前部キャスターストッパー部６によるキャスターＡのロックを解除してキャスター付き介護用ベッドＢの移動を行なう。
【００３５】
従って各キャスターＡにかかるベッドの全重量は、平行移動器具１のキャスター走行用ガイド板２によって支承することとなり、畳や敷物などの床面Ｃにめり込むことが無く、キャスター付き介護用ベッドＢの平行移動が最小の力で容易に行なうことが可能となる。
【００３６】
また、通常の場合ではキャスター走行用ガイド板２の延長部分５を折り畳む、あるいは取り外すことによってキャスター付き介護用ベッドＢよりキャスター走行用ガイド板２が突出して、通常の介護や通行に支障をきたすことがない。
【００３７】
更に、キャスター走行用案内板により各キャスターはキャスター付き介護用ベッドの平行移動の際の蛇行が規制され、確実に元の位置にキャスター付き介護用ベッドを戻すことが可能となる。
【図面の簡単な説明】
【００３８】
【図１】本発明を適用したキャスター付きベッドの平行移動器具の一例を示す斜視図である。
【図２】本発明を適用したキャスター付きベッドの平行移動器具の延長基板の他の例を示す斜視図である。
【図３】図２における本体基板の後部キャスターストップ部の要部説明図である。
【図４】図３におけるキャスター走行用案内板の説明図である。
【図５】図４におけるキャスター走行用案内板の可動機構を示す説明図である。
【図６】本発明を適用したキャスター付きベッドの平行移動器具の他の例を示す平面説明図である。
【図７】本発明を適用したキャスター付きベッドの平行移動器具の使用状態を示す側面説明図である。
【図８】従来のベッドなどに取り付けられるキャスターの一例を示す説明図である。
【符号の説明】
【００３９】
１        平行移動器具
２        キャスター走行用ガイド板
３        キャスター走行用案内板
３Ａ      可動式キャスター走行用案内板
４        本体基板
５        延長基板
６        前部キャスターストッパー部
７        枢支ピン
８        連結部材
９        後部キャスターストッパー部
１０      基板
１１、１１Ａ    長穴
１２、１２Ａ    ネジ穴
１３、１３Ａ    締結用ネジ
１４      突起部
１５      連結用穴
１６      キャスター係止板
【図１】
2005095251.tif 000003
【図２】
2005095251.tif 000004
【図３】
2005095251.tif 000005
【図４】
2005095251.tif 000006
【図５】
2005095251.tif 000007
【図６】
2005095251.tif 000008
【図７】
2005095251.tif 000009
【図８】
2005095251.tif 000010